(57)【要約】【課題】バーストスイッチング制御動作時における消費電力を低減する。【解決手段】装置（１０）は、トランス（１２０）の二次巻線（１２３）の出力電圧（Ｖｏ）を検出する検出信号出力部（１５０）と、電圧検出部（２２１）を有する制御部（２２０）を備え、制御部は、出力電圧が第１電圧を超える際にスイッチング制御の停止信号を、第２電圧未満に低下した際に再開信号を、スイッチング制御を行う一次側制御部（１３２）に出力する。【選択図】図１
2020167802.tif 000002
【特許請求の範囲】
【請求項１】
駆動部と、
一次巻線と、前記駆動部に接続される二次巻線とを有し、前記駆動部に前記二次巻線から出力電圧を出力するトランスと、
前記一次巻線に接続されたスイッチング素子と、
前記トランスの二次側に設けられ、前記出力電圧を検出し、前記出力電圧が所定値以上であるかを示す検出信号を出力する検出信号出力部と、
前記トランスの一次側に設けられ、前記検出信号に応じて前記スイッチング素子のスイッチング制御を行う一次側制御部と、
入力される前記出力電圧に基づいて駆動し、前記出力電圧を検出する電圧検出部を有する制御部と、を備え、
前記スイッチング素子がスイッチング動作の停止と再開とを繰り返して行う、バーストスイッチング制御を行う場合において、
前記制御部は、
前記出力電圧が第１電圧を超えることを前記電圧検出部が検出した場合に、停止信号を前記一次側制御部に出力し、その後、
前記出力電圧が、前記第１電圧より小さい第２電圧未満に低下したことを前記電圧検出部が検出した場合に、再開信号を前記一次側制御部に出力し、
前記一次側制御部は、
前記停止信号の受信に応じて、前記検出信号の検出動作、及び、前記スイッチング素子のスイッチング制御を停止させ、その後、
前記再開信号の受信に応じて、前記スイッチング素子のスイッチング制御を再開することを特徴とする、装置。
【請求項２】
前記検出信号出力部は、発光素子を有するものであり、
前記発光素子は、前記出力電圧が前記所定値以上であれば発光するものであり、
前記第１電圧は、前記所定値未満の電圧であることを特徴とする、請求項１に記載の装置。
【請求項３】
前記二次巻線に接続された過電流保護回路を更に備え、
前記過電流保護回路は、前記出力電圧を動作電圧として駆動し、
前記第１電圧は、前記過電流保護回路の動作電圧の下限値未満の値として設定されていることを特徴とする、請求項１または２に記載の装置。
【請求項４】
前記一次側制御部は、
前記トランスの一次側からの駆動電圧によって駆動し、
前記停止信号の受信に応じて、前記検出信号の検出動作及び前記スイッチング素子のスイッチング制御を停止させている間は、前記一次側制御部が前記再開信号の受信に必要な電圧を前記駆動電圧から供給されることを特徴とする、請求項１から３のいずれか１項に記載の装置。
【発明の詳細な説明】
【技術分野】
【０００１】
本発明はスイッチング電源を備えた装置に関する。
【背景技術】
【０００２】
従来、スイッチング電源装置において、スイッチング素子によるスイッチング動作の一時的な停止と、スイッチング動作の再開を繰り返して行うバーストスイッチング制御を行っている。
【０００３】
特開２００４−８８９５９号公報のスイッチング電源装置は、トランスの１次側において信号レベル判定回路とスイッチング制御回路と有し、トランスの２次側において出力電圧検出回路を有している。当該スイッチング電源装置は、出力電圧検出回路が検出する主出力電圧が上昇した際、信号レベル判定回路がスイッチング制御回路への動作電源の供給を停止させ、出力電圧検出回路が検出する出力電圧が下降した際、信号レベル判定回路がスイッチング制御回路への動作電源の供給を再開させることで、消費電力の削減を図っていた。
【先行技術文献】
【特許文献】
【０００４】
【特許文献１】特開２００４‐８８９５９号公報
【発明の概要】
【発明が解決しようとする課題】
【０００５】
しかし、従来のスイッチング電源装置は、トランスの１次側に設けられたスイッチング制御回路は停止することができるが、トランスの１次側に設けられた信号レベル判定回路は動作を停止することができず、トランスの２次側に設けられた出力電圧検出回路も動作を停止することができないという問題があった。
【０００６】
本発明の目的は、バーストスイッチング制御時のスイッチング動作の一時的な停止を行う際において、一次側制御部による前記検出信号の検出動作、及び、前記スイッチング素子のスイッチング制御を停止させることができる装置を提供することである。
【課題を解決するための手段】
【０００７】
上記の課題を解決するために、本発明の一態様に係る装置は、駆動部と、一次巻線と、前記駆動部に接続される二次巻線とを有し、前記駆動部に前記二次巻線から出力電圧を出力するトランスと、前記一次巻線に接続されたスイッチング素子と、前記トランスの二次側に設けられ、前記出力電圧を検出し、前記出力電圧が所定値以上であるかを示す検出信号を出力する検出信号出力部と、前記トランスの一次側に設けられ、前記検出信号に応じて前記スイッチング素子のスイッチング制御を行う一次側制御部と、入力される前記出力電圧に基づいて駆動し、前記出力電圧を検出する電圧検出部を有する制御部と、を備え、前記スイッチング素子がスイッチング動作の停止と再開とを繰り返して行う、バーストスイッチング制御を行う場合において、前記制御部は、前記出力電圧が第１電圧を超えることを前記電圧検出部が検出した場合に、停止信号を前記一次側制御部に出力し、その後、前記出力電圧が、前記第１電圧より小さい第２電圧未満に低下したことを前記電圧検出部が検出した場合に、再開信号を前記一次側制御部に出力し、前記一次側制御部は、前記停止信号の受信に応じて、前記検出信号の検出動作、及び、前記スイッチング素子のスイッチング制御を停止させ、その後、前記再開信号の受信に応じて、前記スイッチング素子のスイッチング制御を再開する構成を備えている。
【発明の効果】
【０００８】
本発明の一態様によれば、バーストスイッチング制御時のスイッチング動作の一時的な停止を行う際において、一次側制御部による前記検出信号の検出動作、及び、前記スイッチング素子のスイッチング制御を停止させることができる装置を実現することができる。
【図面の簡単な説明】
【０００９】
【図１】本発明の実施形態１に係る装置の構成を示す概略図である。
【図２】本発明の実施形態１に係る装置の動作を示すタイムチャートである。
【発明を実施するための形態】
【００１０】
〔実施形態１〕
以下、図１〜２を用い本発明の一実施形態について、詳細に説明する。
【００１１】
（装置の全体の構成）
図１は、実施形態１に係る装置１０の構成を示す概略図である。装置１０は、低圧電源１００と、低圧電源１００から供給される電力で駆動する駆動部２０と、低圧電源１００から供給される電力で駆動するとともに、駆動部２０を制御する制御部２２０とから構成されている。装置１０は、外部の交流電源９０から交流電力の供給を受け動作する、フライバック式のスイッチング電源を備えた装置である。駆動部２０が画像形成部であって、装置１０は、画像形成装置であるが、これに限られない。
【００１２】
（低圧電源の構成）
低圧電源１００は、一次側整流平滑回路１１０、トランス１２０、スイッチング素子１３０、一次側ＤＣ電源生成回路１３１、一次側制御部１３２、帰還回路１３３、イネーブル信号伝達回路１３４、二次側整流平滑回路１４０、検出信号出力部１５０と、過電流保護回路１６０とを備える。
【００１３】
トランス１２０には、主巻線１２１と副巻線１２４とが設けられている。主巻線１２１は、一次巻線１２２と二次巻線１２３とから構成される。一次側整流平滑回路１１０は、交流電源９０からの電力を、直流に近い電圧波形に平滑化して出力する回路である。一次側整流平滑回路１１０の出力は、一次巻線１２２に導入される。
【００１４】
スイッチング素子１３０は、トランス１２０の一次巻線１２２に直列に接続される。スイッチング素子１３０が導通すると一次巻線１２２に一次側整流平滑回路１１０からの電流が流れ、遮断すると流れない。スイッチング素子１３０は、ゲート電圧によりオン／オフが制御される電圧駆動型の半導体素子である。スイッチング素子１３０は、ＭＯＳ−ＦＥＴ（Metal-Oxide Semiconductor Field Effect Transistor：金属酸化膜半導体電界効果トランジスタ）やその他のＦＥＴであり得る。
【００１５】
一次側ＤＣ電源生成回路１３１は、トランス１２０の副巻線１２４に接続された直流電力を出力する回路である。一次側ＤＣ電源生成回路１３１はトランス１２０の一次側に設けられている。スイッチング素子１３０がスイッチング動作すると副巻線１２４に交流電力が励起され、一次側ＤＣ電源生成回路１３１が直流に近い電圧波形に平滑化し、一次側制御部１３２に直流電力を供給する。一次側制御部１３２は、トランス１２０の一次側からの駆動電圧によって駆動する。一次側ＤＣ電源生成回路１３１はコンデンサあるいはインダクタ等の一時的にエネルギーを貯蔵できる素子を有しており、スイッチング動作が停止しても、一定時間電力の供給は維持される。
【００１６】
一次側制御部１３２は、スイッチング素子１３０を制御する回路である。一次側制御部１３２はスイッチング素子１３０のゲートに所要の周波数及びデューティのパルス電圧を印加し、装置１０におけるスイッチング制御を実行する。
【００１７】
二次側整流平滑回路１４０は、トランス１２０の二次巻線１２３に接続される。スイッチング素子１３０がスイッチング動作すると二次巻線１２３に交流電力が励起され、二次側整流平滑回路１４０が直流に近い電圧波形に平滑化して出力する。二次側整流平滑回路１４０はキャパシタあるいはインダクタ等の一時的にエネルギーを貯蔵する素子を有しており、スイッチング動作が停止しても、その出力電圧Ｖｏが徐々に低下するものの、一定時間電力の供給は維持される。
【００１８】
検出信号出力部１５０は、低圧電源１００自体の出力電圧Ｖｏでもある、二次側整流平滑回路１４０の出力電圧を検出する回路である。装置１０は通常制御動作時に出力電圧Ｖｏが目標電圧Ｖｔ（所定値）になるように動作する。検出信号出力部１５０はそのために、出力電圧Ｖｏをモニタし、少なくとも出力電圧Ｖｏが目標電圧Ｖｔ以上であるか否かを示すことができる検出信号Ｓｓを一次側制御部１３２にフィードバックする。
【００１９】
一次側制御部１３２は、パルス電圧の発生回路と検出信号Ｓｓの受信を監視する監視回路とを内部に有している。一次側制御部１３２は通常制御動作時において、検出信号Ｓｓに従って、パルス電圧の周波数及びデューティを制御し、出力電圧Ｖｏが目標電圧Ｖｔになるようにスイッチング制御を実行する。このような通常制御動作は、従来技術においても実行される、スイッチング電源における通常の動作である。
【００２０】
帰還回路１３３は、トランス１２０の二次巻線１２３側に接続された検出信号出力部１５０と、一次巻線１２２側に接続された一次側制御部１３２との間で、絶縁を確保しつつ、検出信号Ｓｓを伝達するためのフォトカプラである。
【００２１】
フォトカプラが検出信号Ｓｓを伝達する際、フォトダイオードの発光強度の大小によって、出力電圧Ｖｏが目標電圧Ｖｔ以上であるか否かを示すことができる。このような検出信号Ｓｓの方式は、特許文献１の従来技術と同様である。しかし、フォトダイオードの点灯／非点灯によって、出力電圧Ｖｏがそれぞれ目標電圧Ｖｔ以上であるか否かを示すように構成されていることが望ましい。
【００２２】
前者の場合、出力電圧Ｖｏが目標電圧Ｖｔ以上であっても未満であってもフォトダイオードが発光するのに対し、後者の場合、出力電圧Ｖｏが目標電圧Ｖｔ未満であるときには発光しない。フォトダイオードが発光しないのは、フォトダイオードに印加される電圧がダイオード特性の閾値電圧未満である場合である。この際、フォトダイオードにほとんど電流が流れず、フォトダイオード及びフォトダイオードに電流を流す回路の電力消費が低減されるからである。更に後述のように、出力電圧Ｖｏが目標電圧Ｖｔ未満で推移するバーストスイッチング制御動作においても、フォトダイオードが発光することがなく、電力消費が抑制されるからである。
【００２３】
イネーブル信号伝達回路１３４は、トランス１２０の二次巻線１２３側に接続された後述する制御部２２０と、一次巻線１２２側に接続された一次側制御部１３２との間で絶縁を確保しつつ、後述するイネーブル信号Ｓｂ（Enable信号）を伝達するための回路である。イネーブル信号伝達回路１３４はフォトカプラで構成されている。
【００２４】
過電流保護回路１６０は、二次側整流平滑回路１４０に接続される。過電流保護回路１６０は低圧電源１００の出力を監視し、駆動部２０に向けて過電流が流出することを防止する。過電流保護回路１６０は、低圧電源１００の出力に過大な電流が流れようとする場合に電流をバイパスすることでこのような機能を実現する。過電流保護回路１６０は、二次側整流平滑回路１４０が出力する電力の一部を消費することによって動作する。
【００２５】
なお、過電流保護回路１６０の入力側と出力側とで、電圧は実質同じであるので、二次側整流平滑回路１４０の出力電圧についても、出力電圧Ｖｏと同一視して、明細書中では記述する。
【００２６】
（駆動部の構成）
駆動部２０には、低圧電源１００から、直流電力である出力電力が供給される。トランス１２０は、駆動部２０に二次巻線１２３から出力電圧を出力する。
【００２７】
駆動部２０は画像形成部であって、低圧電源１００からの直流電力の供給を受けて動作する。画像形成部として動作する駆動部２０は、周知の電子写真方式によってシートにトナー像を形成する画像形成部であって、プロセス部と、定着装置、シートを搬送する搬送部等とから構成されている。
【００２８】
（ＤＣ−ＤＣコンバータ回路の構成）
装置１０は、低圧電源１００、駆動部２０とは別に、ＤＣ−ＤＣコンバータ回路２１０を備えている。ＤＣ−ＤＣコンバータ回路２１０は、低圧電源１００の駆動部２０への出力に分岐して接続された、制御部２２０へ直流電力を供給するための回路である。制御部２２０は、入力される出力電圧に基づいて駆動する。低圧電源１００の出力電圧Ｖｏは駆動部２０である画像形成部が画像形成を実行していないとき、６Ｖ程度であり、相対的に高い電圧である。制御部２２０への供給電圧は３．３Ｖ程度であり、相対的に低い電圧である。ＤＣ−ＤＣコンバータ回路２１０は、低圧電源１００からの直流電力を、電圧を変換しつつ制御部２２０へ供給する。
【００２９】
（制御部の構成）
制御部２２０には、制御部２２０に供給される電圧をモニタすることにより、間接的に出力電圧Ｖｏを検出する、電圧検出部２２１が設けられている。制御部２２０は、ＡＳＩＣ（Application Specific Integrated Circuit）であって、ＣＰＵ（Central Processing Unit）とＲＡＭ（Random Access Memory）（不図示）と、ＲＯＭ（Read Only Memory）（不図示）とを有している。ＲＯＭには、駆動部２０である画像形成部を制御するための各種制御プログラム、各種設定、初期値等が記憶されている。ＲＡＭは、各種制御プログラムが読み出される作業領域として、あるいは画像データを一時的に記憶する記憶領域として利用される。制御部２２０は、ＲＯＭから各種プログラムを読み出して、駆動部２０である画像形成部を制御している。
【００３０】
制御部２２０が通常制御動作モードとして駆動部２０を制御する場合、電圧検出部２２１を動作させない。制御部２２０は、駆動部２０を動作させない省電力モードにおいて、電圧検出部２２１を動作させる。省電力モードであるバーストスイッチング制御動作時に、電圧検出部２２１を動作させ、その結果に基づきイネーブル信号Ｓｂを発生し、イネーブル信号伝達回路１３４を通じて一次側制御部１３２に伝達する。
【００３１】
（装置の特徴的な動作）
実施形態１に係る装置１０は、バーストスイッチング制御動作時において、特徴的な動作を実行する。
【００３２】
一次側制御部１３２は、制御部２２０からイネーブル信号Ｓｂとして、停止信号を受信すると、パルス電圧の発生を停止し、スイッチング動作を停止させる。一次側制御部１３２内部におけるパルス電圧の発生回路や、検出信号Ｓｓの監視回路への電力供給を遮断または削減し、消費電力を低下させる。一次側制御部１３２は、スイッチング動作の停止中にも、イネーブル信号Ｓｂを監視する部分回路は動作させている。そのため、当該部分回路への必要な電力の供給は維持している。一次側制御部１３２は、制御部２２０からイネーブル信号Ｓｂとして、再開信号を受信すると、内部のパルス電圧の発生回路や、検出信号Ｓｓの監視回路への電力供給を再開し、スイッチング動作を再開させる。
【００３３】
制御部２２０は、バーストスイッチング制御動作開始時に、イネーブル信号Ｓｂとして、停止信号を出力する。制御部２２０は、バーストスイッチング制御動作時において、電圧検出部２２１を動作させる。制御部２２０は、出力電圧Ｖｏが、所定の電圧である第１電圧Ｖ１を超えることを電圧検出部２２１が検出する際に、イネーブル信号Ｓｂとして、停止信号を一次側制御部１３２に出力する。また、制御部２２０は、出力電圧Ｖｏが、所定の電圧である第２電圧Ｖ２未満に低下することを電圧検出部２２１が検出する際に、イネーブル信号Ｓｂとして、再開信号を一次側制御部１３２に出力する。第２電圧Ｖ２は、第１電圧Ｖ１より小さい電圧である。ここで、停止信号出力時または再開信号出力時以外には、イネーブル信号Ｓｂは無信号である。
【００３４】
図２は、装置１０の動作を説明するためのタイムチャートである。図２には、装置１０が通常制御動作からバーストスイッチング制御動作に移行し、その後通常制御動作に復帰するまでの、出力電圧Ｖｏ及び消費電力Ｐｃが示される。消費電力Ｐｃは、低圧電源１００が内部で消費する電力であり、図２にはその推移の概要が示されている。
【００３５】
当初、通常制御動作においては、上述の通り、検出信号出力部１５０からの出力電圧Ｖｏのフィードバックに基づいて、一次側制御部１３２がスイッチング素子１３０をスイッチング制御する。よって、出力電圧Ｖｏは、目標電圧Ｖｔに保たれている。
【００３６】
次にバーストスイッチング制御動作開始時である時刻Ｔ１において、制御部２２０は、イネーブル信号Ｓｂとして、停止信号を一次側制御部１３２に出力する。一次側制御部１３２がスイッチング制御を停止し、スイッチング素子１３０はオフ状態となり、出力電圧Ｖｏが徐々に低下する。またこの際、一次側制御部１３２におけるパルス電圧の発生回路や、検出信号Ｓｓの監視回路への電力供給が遮断または削減され、低圧電源１００の消費電力Ｐｃは低下する。
【００３７】
出力電圧Ｖｏが低下し続け、第２電圧Ｖ２未満に低下した時刻Ｔ２において、電圧検出部２２１がそのことを検出する。制御部２２０は、イネーブル信号Ｓｂとして、再開信号を一次側制御部１３２に出力する。すると、一次側制御部１３２におけるパルス電圧の発生回路や、検出信号Ｓｓの監視回路への電力供給が再開され、低圧電源１００の消費電力Ｐｃは上昇する。また、一次側制御部１３２によりスイッチング素子１３０のスイッチング動作が再開され、出力電圧Ｖｏが徐々に上昇する。
【００３８】
出力電圧Ｖｏが上昇し続け、第１電圧Ｖ１を超える時刻Ｔ３において、電圧検出部２２１がそのことを検出する。制御部２２０が、イネーブル信号Ｓｂとして、停止信号を一次側制御部１３２に出力する。一次側制御部１３２がスイッチング制御を停止するため、スイッチング素子１３０はオフ状態のままとなり、出力電圧Ｖｏが徐々に低下する。またこの際、一次側制御部１３２におけるパルス電圧の発生回路や、検出信号Ｓｓの監視回路への電力供給が遮断または削減され、低圧電源１００の消費電力Ｐｃは低下する。
【００３９】
以降、時刻Ｔ４、Ｔ６、Ｔ８におけるスイッチング動作の再開と、時刻Ｔ５、Ｔ７におけるスイッチング動作の停止が繰り返される。
【００４０】
なお、図２には、検出信号出力部１５０の動作下限値Ｖｍが合わせて示されている。検出信号出力部１５０の動作下限値Ｖｍは、目標電圧Ｖｔより小さい値である。また、第１電圧Ｖ１は、検出信号出力部１５０の動作下限値Ｖｍよりも小さい値に設定される。
【００４１】
動作下限値Ｖｍは、帰還回路１３３のフォトダイオードが発光しないような電圧である。フォトダイオードが閾値電圧以下となるとほとんど電流が流れないため、このことによって出力電圧Ｖｏが動作下限値Ｖｍの場合には、検出信号出力部１５０及び帰還回路１３３の電力消費が非常に小さくなる。また、バーストスイッチング制御動作中に出力電圧Ｖｏは第１電圧Ｖ１を超えないように動作するため、装置１０では、バーストスイッチング制御動作中の検出信号出力部１５０及び帰還回路１３３の電力消費がほとんど無い。
【００４２】
時刻Ｔ８後、バーストスイッチング制御動作が解除されると、出力電圧Ｖｏが上昇し第１電圧Ｖ１を超え、更に動作下限値Ｖｍを超える。すると、検出信号出力部１５０による出力電圧Ｖｏの一次側制御部１３２へのフィードバックも再開し、出力電圧Ｖｏが目標電圧Ｖｔに保たれる通常制御動作へと移行する。
【００４３】
（効果）
以上のように、装置１０においては、バーストスイッチング制御動作中のスイッチング動作停止時に、一次側制御部１３２におけるスイッチング制御に必要な回路部分への電力供給が遮断または削減される。よって、スイッチング動作停止時には一次側制御部１３２の消費電力が著しく小さくなる。更に、装置１０においては、バーストスイッチング制御動作中の検出信号出力部１５０及び帰還回路１３３の電力消費がほとんど無い。
【００４４】
特許文献１の従来技術においては、バーストスイッチング制御動作中にも検出信号出力部１５０に相当する電圧検出回路が、動作し続ける必要がある。またそのために一次側制御部１３２における検出信号Ｓｓの監視回路に相当する信号レベル判定回路や、帰還回路１３３に相当する帰還回路も動作し続ける必要があった。装置１０では、これらの回路部分を動作させる必要が無いため、特許文献１の従来技術と比較すると、バーストスイッチング制御動作時の消費電力が効果的に抑制される。
【００４５】
一方、装置１０においては、バーストスイッチング制御動作中に制御部２２０を動作させる必要がある。しかし、制御部２２０は、ＡＳＩＣ、マイクロプロセッサ、ＣＰＵ等といった微細加工技術で製造されるＩＣで構成され、低消費電力で動作できる。従って、バーストスイッチング制御動作中に出力電圧Ｖｏの監視のため制御部２２０を動作させることによる電力消費の増加はわずかである。
【００４６】
また、バーストスイッチング制御動作中に出力電圧Ｖｏの情報をフィードバックするためのイネーブル信号Ｓｂは、スイッチング動作の切り替わり時にのみ発生する信号である。イネーブル信号Ｓｂは、期間の大部分が無信号であるため、その伝送のために電力をほとんど消費せず、また、イネーブル信号伝達回路１３４における電力の消費もほとんど無い。
【００４７】
また、装置１０では、通常制御動作時に出力電圧Ｖｏを検出するための検出信号出力部１５０と、バーストスイッチング制御動作時に出力電圧Ｖｏを検出するための電圧検出部２２１とを別の回路としている、そのため、バーストスイッチング制御動作時にスイッチング動作の停止及び再開を決定づける、第１電圧Ｖ１及び第２電圧Ｖ２の大きさは、検出信号出力部１５０の回路構成に係わりなく設定することができる。よって、スイッチング動作を再開するための第２電圧Ｖ２を、目標電圧Ｖｔから大きく低下させることができ、そのためスイッチング動作の停止の期間を長くすることができる。これによって、バーストスイッチング制御動作における消費電力を更に削減することが可能となっている。
【００４８】
装置１０において、第１電圧Ｖ１は、過電流保護回路１６０の動作下限電圧未満とすることも好ましい。これにより、バーストスイッチング制御動作において、過電流保護回路１６０は動作できず、その電力消費が無くなる。なお、バーストスイッチング制御動作は低負荷状態であるので、過電流を監視する必要が無い。本構成とすることによって、バーストスイッチング制御動作時における消費電力を更に削減することができる。
【００４９】
本発明は上述した各実施形態に限定されるものではなく、請求項に示した範囲で種々の変更が可能であり、開示された技術的手段を適宜組み合わせて得られる実施形態についても本発明の技術的範囲に含まれる。更に、実施形態で開示された技術的手段を組み合わせることにより、新しい技術的特徴を形成することができる。
【符号の説明】
【００５０】
１０  装置
１００  低圧電源
１１０  一次側整流平滑回路
１２０  トランス
１２１  主巻線
１２２  一次巻線
１２３  二次巻線
１２４  副巻線
１３０  スイッチング素子
１３１  一次側ＤＣ電源生成回路
１３２  一次側制御部
１３３  帰還回路
１３４  イネーブル信号伝達回路
１４０  二次側整流平滑回路
１５０  検出信号出力部
１６０  過電流保護回路
２１０  ＤＣ−ＤＣコンバータ回路
２２０  制御部
２２１  電圧検出部
２０  駆動部（画像形成部）
９０  交流電源
Ｓｓ  検出信号
Ｓｂ  イネーブル信号
Ｖｏ  出力電圧
Ｖｔ  目標電圧
Ｖ１  第１電圧
Ｖ２  第２電圧
【図１】
2020167802.tif 000003
【図２】
2020167802.tif 000004